(57)【特許請求の範囲】
【請求項１】
ホスト機器を用いて編集された可視画像を光ディスクにレーザーを使用して形成する可視画像記録方法であって、
光ディスクに固有の識別番号をその光ディスクの所定の領域に記録する工程と、
前記可視画像の占める領域のディスク面における位置と形と大きさを表し得る画像領域情報をその光ディスクの所定の領域に記録する工程と、
編集する工程により編集された可視画像が形成されている光ディスクのイメージデータと、該イメージデータとその光ディスクに固有の前記識別番号とを関連付けるリンク情報とを前記ホスト機器に記憶する工程と、
光ディスクから前記識別番号と前記画像領域情報を読み出す工程と、
前記光ディスクから読み出された識別番号に対応する前記リンク情報がホスト機器に記憶されているときは、該読み出された識別番号と前記リンク情報とに基づいて、前記ホスト機器に記憶されているその光ディスクのイメージデータを読み出して編集画面に表示し、前記光ディスクから読み出された識別番号に対応する前記リンク情報がホスト機器に記憶されていないときは、前記イメージデータに替えて、前記光ディスクから読み出された前記画像領域情報に基づいて、光ディスクとそのディスク面に形成されている可視画像の領域を編集画面に表示する工程と、
前記編集画面で、該編集画面に表示されている前記イメージデータと、その光ディスクに新たに追加して形成する可視画像に対応するイメージデータとを編集する工程と、
前記編集画面における編集に対応してその光ディスクへ新たに追加して形成する可視画像をその光ディスクに形成する工程と
を含むことを特徴とする光ディスクへの可視画像記録方法。
【請求項２】
前記表示する工程は、さらに、
前記ホスト機器に記憶されているその光ディスクのイメージデータから、そのイメージデータに含まれている可視画像のディスク面における位置と形と大きさを表し得る画像領域情報を算出する工程と、
該算出した画像領域情報と前記光ディスクから読み出された画像領域情報とを比較する工程と、
前記比較結果が一致しないときは、前記イメージデータに替えて、前記光ディスクから読み出された画像領域情報から得られた可視画像の形を該画像領域情報に対応する大きさで対応する位置に表示する工程と
を含むことを特徴とする請求項１記載の光ディスクへの可視画像記録方法。
【請求項３】
前記記憶する工程において、前記イメージデータと前記識別番号とを関連付けるリンク情報を前記ホスト機器に記憶した後には、それ以前に記憶されていたその光ディスクの識別番号に対応するリンク情報は消去されていることを特徴とする請求項１記載の光ディスクへの可視画像記録方法。
【請求項４】
前記光ディスクには、可視画像を形成するための可視画像記録領域と、ディスクの最内周部又は最外周部の少なくとも一方にあらかじめ溝を彫る方法によって螺旋状に形成された複数のトラックを有する記録領域とが設けられており、
前記可視画像記録領域には前記溝は形成されておらず、
前記記録領域は前記識別番号及び前記画像領域情報が記録される領域である
ことを特徴とする請求項１記載の光ディスクへの可視画像記録方法。
【請求項５】
前記光ディスクは、可視画像記録層とデータ記録層とを有する片面２層構造の光ディスクであり、
前記識別番号及び前記画像領域情報は前記光ディスクのデータ記録層に記録されることを特徴とする請求項１記載の光ディスクへの可視画像記録方法。
【請求項６】
編集画面を用いて編集された可視画像を光ディスクにレーザーを使用して形成することができる光ディスク記録装置であって、
光ディスクに固有の識別番号をその光ディスクの所定の領域に記録する手段と、
前記可視画像の占める領域のディスク面における位置と形と大きさを表し得る画像領域情報をその光ディスクの所定の領域に記録する手段と、
編集画面を用いて編集された可視画像が形成されている光ディスクのイメージデータと、該イメージデータとその光ディスクの前記識別番号とを関連付けるリンク情報とを記憶部に記憶する手段と、
光ディスクから前記識別番号と前記画像領域情報を読み出す手段と、
前記光ディスクから読み出された識別番号に対応する前記リンク情報が前記記憶部に記憶されているときは、該読み出された識別番号と前記リンク情報とに基づいて、前記記憶部からその光ディスクのイメージデータを読み出して編集画面に表示し、前記光ディスクから読み出された識別番号に対応する前記リンク情報が前記記憶部に記憶されていないときは、前記イメージデータに替えて、前記光ディスクから読み出された前記画像領域情報に基づいて、光ディスクとそのディスク面に形成されている可視画像の領域を編集画面に表示する手段と、
前記編集画面における編集に対応してその光ディスクへ新たに追加して形成する可視画像をその光ディスクに形成する手段と
を有することを特徴とする光ディスク記録装置。
【請求項７】
前記表示する手段は、前記イメージデータから、そのイメージデータに含まれている可視画像のディスク面における位置と形と大きさを表し得る画像領域情報を算出し、該算出した画像領域情報と前記光ディスクから読み出された画像領域情報とが一致しないときは、前記イメージデータに替えて、前記光ディスクから読み出された画像領域情報から得られたその光ディスクに形成されている可視画像の形を該画像領域情報に対応する大きさで対応する位置に表示するものであることを特徴とする請求項６記載の光ディスク記録装置。
【請求項８】
前記記憶する手段は、前記イメージデータと前記識別番号とを関連付けるリンク情報を前記記憶部に記憶するときに、それ以前に記憶されていたその光ディスクの識別番号に対応するリンク情報を消去するものであることを特徴とする請求項６記載の光ディスク記録装置。
【請求項９】
前記光ディスクには、可視画像を形成するための可視画像記録領域と、ディスクの最内周部又は最外周部の少なくとも一方にあらかじめ溝を彫る方法によって螺旋状に形成された複数のトラックからなる記録領域とが設けられており、
前記可視画像記録領域には前記溝は形成されておらず、
前記記録領域は前記識別番号及び前記画像領域情報が記録される領域である
ことを特徴とする請求項６記載の光ディスク記録装置。
【請求項１０】
前記光ディスクは、可視画像記録層とデータ記録層とを有する片面２層構造の光ディスクであり、
前記識別番号及び前記画像領域情報は前記光ディスクのデータ記録層に記録されることを特徴とする請求項６記載の光ディスク記録装置。
【発明の詳細な説明】
【技術分野】
【０００１】
本発明は、ＣＤ−Ｒ／ＲＷやＤＶＤ＋Ｒ／ＲＷ及びＤＶＤ−Ｒ／ＲＷなどの光ディスクのディスク面にレーザーを使用して可視画像を形成する光ディスクへの可視画像記録方法及び光ディスク記録装置に関し、特に、既に可視画像が形成されている光ディスクに新たな可視画像を追加して記録する場合に適用して好適なものである。
【背景技術】
【０００２】
光ディスクの記録面やレーベル面（記録面と反対側の面）にレーザーを使用して文字や図形等の可視画像を形成することは知られている。
例えば、特許文献１には光ディスクのレーベル面側から見える個所に可視光特性変化層を設け、レーザー光を照射することによりその可視光特性を変化させて可視画像を形成することが提案されている。
また、特許文献２には、レーザーを使用して可視画像を記録することが可能な光ディスクにおいて、記録膜に可逆的な相変化材料を用い、記録した図形を書き換えることが提案されている。
さらに、特許文献３には、既に可視画像が形成されている光ディスクの記録面に新たに可視画像を追記することが提案されている。
なお、特許文献４には、光ディスクのディスク面に形成するのに好適なバーコードが提案されている。
【特許文献１】特開２００２−２０３３２１号公報
【特許文献２】特開２００３−０１６６４９号公報
【特許文献３】特開２００４−０３９０１９号公報
【特許文献４】特開２００４−０６３０３０号公報
【発明の開示】
【発明が解決しようとする課題】
【０００３】
上述のように、特許文献３において、レーザーにより既に可視画像が形成されている光ディスクのディスク面に、さらに可視画像を追記することは提案されている。
しかしながら、特許文献３に記載されているものは、追記の態様や順番があらかじめ決まっており、使用者は自由な態様で追記することはできなかった。
可視画像を追記するときには、既に形成されている可視画像のディスク面上の位置を認識することが、新たに記録する画像と既存の画像との重なりを防止したり、無駄な空間が発生することを防ぐために必要である。
このために、上記特許文献３では、（１）ディスク上に形成されているウォブル（wobble）から位置アドレスを検出して、記録した可視画像位置のスタート又はエンドアドレスを記録する方法、及び、（２）反射光信号のエンベロープ形状から可視画像が形成されてる領域を検出する方法が提案されている。
しかしながら、上記（１）の方法は、位置アドレスを検出することができるように、可視画像を記録する領域に案内溝（groove）が設けられていることが必要であった。また、上記（２）の方法では、精度よく位置を検出することが困難であったが、場所、順番、形状があらかじめ決まっているので、格別な精度は必要でなかった。
【０００４】
そこで、本発明は、レーザーを用いて可視画像を記録することができる光ディスクにおいて、可視画像を正確な位置に容易に追記することができる光ディスクへの可視画像記録方法及び光ディスク記録装置を提供することを目的としている。
【課題を解決するための手段】
【０００５】
上記目的を達成するために、本発明の光ディスクへの可視画像記録方法及び光ディスク記録装置は、光ディスクにレーザーを用いて可視画像を描画記録するときに光ディスクの所定の領域にその光ディスクに固有の識別番号と該可視画像の占める領域のディスク面における位置と形と大きさを表し得る画像領域情報とを記録し、ホスト機器側に該可視画像が形成されているその光ディスクのイメージデータと、該イメージデータとその光ディスクの識別番号とを関連付けるリンク情報を保存するようにしている。そして、追記時に、光ディスク上の前記識別番号を読み出し、ホスト機器にその識別番号に対応したその光ディスクのイメージデータが保存されているときは、その光ディスクに既に形成されている可視画像を編集画面に再現させるようにしたことを主要な特徴としている。
また、光ディスクから読み出された識別番号に対応するリンク情報がホスト機器に保存されていないときには、その光ディスクから読み出された前記画像領域情報に基づいてその光ディスクに形成されている可視画像の領域を再現するようにしている。
さらに、保存されているその光ディスクのイメージデータから算出した画像領域情報と、その光ディスクから読み出した画像領域情報とが一致していないときは、該光ディスクから読み出した画像領域情報に基づいて再現した可視画像の領域を表示するようにしている。
ここで、前記光ディスクの最内周部又は／及び最外周部には所定の幅で複数の案内溝が設けられた記録領域が設けられており、この記録領域に前記識別番号と前記画像領域情報が記録される。そして、前記可視画像は案内溝が設けられていない平坦なミラー面とされた可視画像記録領域に形成される。
また、前記光ディスクは可視画像記録層とデータ記録層を有する片面２層構造の光ディスクであってもよく、この場合には、前記識別番号と前記画像領域情報はそのデータ記録層に記録される。
【発明の効果】
【０００６】
本発明の光ディスクへの可視画像記録方法及び光ディスク装置によれば、光ディスクへ可視画像を追加して描画記録するときに、光ディスク上に記録されている識別番号に基づいてホスト機器に保存されているイメージデータを用いてその光ディスクに形成されている可視画像を正確に再現することができる。ユーザーは、この既存画像が再現された画面を利用して、ディスク上の正確な位置に容易に所望の画像を追加することができる。
また、光ディスクに可視画像を描画記録するときに用いたホスト機器とは別のホスト機器を用いて光ディスクに可視画像を追記するときには、光ディスク上に記録されている画像領域情報を用いて該ディスク上に描画記録されている可視画像の領域を再現することができる。
さらに、光ディスクに可視画像を追記するときに、そのホスト機器で前回追記した後に、他のホスト機器を用いてさらに可視画像の追記がなされているときでも、該光ディスクに記録されている画像領域情報を用いて、ディスク面に記録されている可視画像の位置と形を再現することができる。
そして、その情報をホスト機器が処理し、光ディスクドライブ装置に送ることにより、ディスク上の正確な位置に可視画像を追加することが可能となる。
【発明を実施するための最良の形態】
【０００７】
本発明で使用される光ディスクには、大きく分けて２種類のものがある。はじめに、本発明において使用される可視画像を記録することができる２種類の光ディスクについて説明し、以下、本発明の光ディスクに記録される画像領域情報、前記２種類の光ディスクへの識別番号と画像領域情報の記録方法、本発明の光ディスク記録装置の構成、本発明の光ディスク記録装置の動作の順に説明する。
１．第１の種類の光ディスク
図１は、本発明において使用する第１の種類の光ディスク１の一実施の形態におけるレーベル面の構造を示す図である。なお、記録面は、ＣＤ系（ＣＤ−Ｒ／ＲＷ）又はＤＶＤ系（ＤＶＤ−Ｒ／ＲＷ、ＤＶＤ＋Ｒ／ＲＷ）のいずれであってもよい。
この図に示すように、光ディスク１におけるディスク内周部の所定の半径から所定の半径まで案内溝（Groove）が螺旋状に形成されている。また、ディスク外周部の所定の半径から所定の半径まで案内溝が螺旋状に形成されている。図示した例では、半径２２ｍｍ〜２４ｍｍの最内周部の領域２（以下、「内周側インフォメーションエリア」とよぶ。）と半径５６ｍｍ〜５８ｍｍの最外周部の領域３（以下、「外周側インフォメーションエリア」とよぶ。）が形成されている。この内周側インフォメーションエリア２又は外周側インフォメーションエリア３に前記識別番号と画像領域情報が記憶される。なお、内周側インフォメーションエリア２と外周側インフォメーションエリア３の両方を設ける必要はなく、いずれか一方のみを設けるようにしてもよい。
前記案内溝にはウォブル（wobble）が形成されており、ウォブルには、ディスク位置情報（アドレス情報）がわかるように、位相変調やＦＭ変調等が施されている。ＤＶＤ系規格のＡＤＩＰ（Address In Pre-Groove）、ＣＤ系規格のＡＴＩＰ（Absolute Time in Pre-Groove）、あるいは、それらとは全く違った仕様のウォブルが形成されていても構わない。また、ウォブルの長さ（１周期の長さ）はその領域内で一定としてもよいし、可変としてもよい。
【０００８】
前記内周側インフォメーションエリア２と外周側インフォメーションエリア３の間の領域４は、可視画像を記録することができる可視画像記録領域である。前記特許文献１に記載されているように、レーザー光をこの可視画像記録領域４に照射することによりその可視光特性を変化させて可視画像を形成することができる。
この可視画像記録領域４には上記案内溝は形成されておらず、平坦なミラー面とされている。可視画像記録領域４をミラー面としているのは、前述した特許文献３の発明のようにディスク上の絶対アドレス情報を必要としないため案内溝を設ける必要がないこと、可視画像の記録中にトラッキングをかける必要がないこと、及び、案内溝があると光の干渉等により、可視画像の見栄えに影響があることなどの理由による。
【０００９】
また、前記光ディスク１には、あらかじめ一つの半径方向が基準角度位置として定められており、光ディスク１上に設けたブラックドットなどのマークや、前記内周側インフォメーションエリア２又は外周側インフォメーションエリア３から知ることができる所定のアドレス位置を該基準角度位置を示すマークとすることができる。
光ディスク１に可視画像を初めて記録するとき、及び、可視画像を追記するときは、この基準角度位置を示すマークが検出されたタイミングに同期させて可視画像の記録を開始させる。これにより、何度描画しても、毎回ディスク上の同じ角度位置から描画記録が開始され、既に可視画像が記録されている光ディスク上に新たな可視画像を追記するときに、該追記する可視画像を既存の可視画像に対する所望の位置に記録することができる。
【００１０】
２．第２の種類の光ディスク
上述した第１の種類の光ディスクは、記録面にデータを記録し、その反対側の面であるレーベル面に可視画像を記録するものであった。したがって、記録面にデータを記録した後にレーベル面に可視画像を記録するときには、光ディスクを裏返しにしてドライブ装置に挿入することが必要であった。
次に、光ディスクを裏返しにして挿入する必要のない第２の種類の光ディスクについて説明する。この第２の種類の光ディスクは、１枚のディスクにデータ記録層と可視画像記録層（画像描画層）を形成した片面２層構造のディスク（デュアルレイヤーディスク）であり、レンズのフォーカス位置を変更するだけで、片側から両方の層（データ記録層と画像描画層）にアクセスすることができる。
【００１１】
このようなデュアルレイヤーディスクとしては、ＣＤＲタイプ、ＤＶＤＲタイプ、及び、ＣＤＲ−ＤＶＤＲの混合タイプなどがある。
図２は、本発明において使用する第２の種類の光ディスクの層構造を示す図であり、（ａ）は、ＣＤＲタイプのデュアルレイヤーディスクの層構造、（ｂ）はＤＶＤＲタイプのデュアルレイヤーディスクの層構造、（ｃ）はＣＤＲ−ＤＶＤＲ混合タイプのデュアルレイヤーディスクの層構造を示している。
図２の（ａ）に示すように、ＣＤＲタイプのデュアルレイヤーディスクは、データ面側（対物レンズ側）から、グルーブ（案内溝）付きのポリカーボネート層、データ記録層が順に設けられている。通常のＣＤＲの場合には、前記データ記録層の次に反射層と保護層が設けられるのであるが、このディスクにおいては、前記データ記録層の上に半透明層が設けられており、その上に、中間層を介して、可視画像記録層（画像描画層）が設けられている。また、描画した可視画像をレーベル面から目視することができるように、画像描画層の上に半透明層と保護層が設けられている。全体の厚さは１．２mmとされている。
対物レンズを通ったレーザ光は、データ記録層及び半透明層を透過して画像描画層に到達し、画像描画層に熱が加わって感熱層が化学変化を起こして色が変化することにより可視画像を描画することができる。
【００１２】
図２の（ｂ）はＤＶＤＲタイプのデュアルレイヤーディスクの層構造を示す図である。
図示するように、データ面側から順に、グルーブ付きのポリカーボネート層、データ記録層、半透明層からなるＤＶＤデータ記録基板が設けられており、中間層を介して、画像描画層、半透明層及びポリカーボネート層からなる画像描画基板が設けられている。前記両基板を貼り合わせ、全体の厚さは、１．２mmとされている。
対物レンズを通ったレーザ光は、データ記録層及び半透明層を通って画像描画層に到達し、可視画像を描画することができる。
図２の（ｃ）はＣＤＲ−ＤＶＤＲの混合タイプの層構造を示している。ＣＤＲ−ＤＶＤＲの混合タイプには、データ記録をＣＤ側で行い、画像描画をＤＶＤ側で行うものと、データ記録をＤＶＤ側で行い画像描画をＣＤ側で行うものがあるが、ここでは、データ記録をＣＤ側で行い、画像描画をＤＶＤ側で行うものを示している。
図示するように、データ面側（対物レンズ側）からポリカーボネート層、画像描画層、半透明層からなる画像描画基板が設けられており、グルーブ付きの中間層、データ記録層、半透明層及び保護層からなるＣＤデータ記録基板が設けられている。前記両基板を貼り合わせ、全体の厚さは、１．２mmとされている。
【００１３】
このような片面２層構造の光ディスクを用いる場合には、レーザ光のフォーカス位置を変更するだけで、片側から両方の層への読み書きが可能であるため、ディスクを裏返してセットすることなくデータの記録再生や可視画像の描画を行うことができる。また、トラックアトワンス方式、又はセッションアトワンス方式により追記を行うことができるマルチセッションディスクであるため、そのデータ記録層のプログラムエリアのメインデータに前記画像領域情報を記録することができる。この第２の種類の光ディスクを使用するために新たにハードウエアを追加する必要もなく、光ディスク記録装置のファームウエアの変更程度で済む。
なお、この第２の種類の光ディスクにおいては、データ記録層の所定のアドレス位置を、前述した基準角度位置を示すマークとすることができる。
【００１４】
本発明においては、前記第１の種類の光ディスクを使用するときは、前記可視画像記録領域４に初めて可視画像を記録するときに、上述した内周側インフォメーションエリア２又は外周側インフォメーションエリア３に、その光ディスク１に固有の識別番号を記録しておき、前記可視画像記録領域４に可視画像を記録するときに、前記内周側インフォメーションエリア２又は外周側インフォメーションエリア３に、該光ディスク１に記録される可視画像の占める領域の位置、形及び大きさを表し得る画像領域情報を記録するようにしている。また、前記第２の種類の光ディスクを使用するときは、前記画像描画層（可視画像記録層）に可視画像を記録するときに、そのディスクのデータ記録層のプログラムエリアにその光ディスクに固有の識別番号と画像領域情報とを記録するようにしている。
そして、ホスト機器側に、可視画像が描画記録されている光ディスク１のディスク面全体を表し得るイメージデータと、該イメージデータとその光ディスク１に固有の識別番号とを関連付ける情報（リンク情報）とを記憶するようにしている。
これにより、後から光ディスク１の可視画像記録領域４又は画像描画層に新たな可視画像を追加して記録するときに、その光ディスク１から前記識別番号を読み出し、ホスト機器内にその識別番号に対応するイメージデータが記憶されているときには、そのイメージデータを画像編集プログラムの編集画面に表示して、その光ディスクに既に記録されている可視画像を再現することにより、任意の形の可視画像を既存の可視画像と重なることなく自由に配置して記録することができる。また、イメージデータがホスト機器に記憶されていない場合でも、前記画像領域情報を用いてその光ディスクに既に記録されている可視画像の領域を再現して表示することができるので、新たな可視画像を既存の可視画像と重なることなく自由に配置して記録することが可能となる。
【００１５】
３．画像領域情報
次に、前記記録された可視画像の占める領域の位置、形及び大きさを表し得る画像領域情報について説明する。
本発明においては、記録された可視画像に含まれる点の位置を示す情報とその可視画像をどのような形として捉えたかを示す情報とを用いてその可視画像の位置、形及び大きさを表現することができるようにしている。
そして、前記点の位置を、例えば、光ディスクの中心を原点、前記基準角度位置に対応する半径を基準線（角度ゼロ位置）とする極座標系を用いて表現するようにしている。なお、角度は前記基準線から時計回りに増加するものとして説明する。
【００１６】
３−１．可視画像の領域を長方形として捉える場合
図３の（ａ）は、可視画像を長方形として捉える場合の画像領域情報を説明するための図である。
前記光ディスク１の可視画像記録領域４又は画像描画層に可視画像を形成するときには、ホストコンピュータ上で画像編集プログラムを使用して形成しようとする絵や文字などを含む画像を作成又は選択し、該画像データに応じてレーザー光のパワーを制御して可視画像を形成する。
一般に、絵や文字など（以下、「絵柄」とよぶ。）を含んだ画像データはビットマップ（.bmp）等の形式になっており、その外形は、通常、正方形又は長方形である。そこで、図３の（ａ）に示すように、その正方形又は長方形６の一辺を基準線５に対して平行に配置したとき、前記極座標系において、最も内周側に位置する画像の点Ａの座標を（ｒ1，θ1）、最も外周側に位置する点Ｂの座標を（ｒ2，θ2）とする。図中のＣ点とＤ点は、Ａ点とＢ点の座標が分かれば計算で求めることができる。これにより、可視画像の大きさも求めることができる。
さらに、前記座標情報とは別に、この可視画像を正方形又は長方形として捉えたことを示す情報も併せて記録しておく。すなわち、（Ｒ，Ａ(ｒ1，θ1)，Ｂ(ｒ2，θ2)）という形式の画像領域情報とする。ここで、“Ｒ”は“Rectangle”を意味する。
なお、最外周部に位置する座標Ｂの半径情報“ｒ2”は光ディスクの半径を超えていても良い。また、可視画像の配置位置によっては、Ａ点とＤ点あるいはＡ点とＣ点が同じ半径位置に位置するときがある。このような場合は、角度の小さい方を採用する。そのとき、同様にＢ点とＣ点あるいはＢ点とＤ点が同じ半径位置に位置しているので、角度値の大きいほうを採用するものとする。
【００１７】
その後、図示する可視画像７の追記が行なわれたとする。このとき、第１の種類の光ディスクを使用している場合には、新たな可視画像領域７に対応する画像領域情報（Ｒ，Ｅ(ｒ3，θ3)，Ｆ(ｒ4，θ4)）が前記内周側インフォメーションエリア２又は外周側インフォメーションエリア３に追加して記録される。また、前記第２の種類の光ディスクを使用している場合には、追記される前から描画されていた可視画像の領域と追記された可視画像７の領域の両者を含む画像領域情報、すなわち、追記された後にディスク面に描画されている可視画像に対応する画像領域情報が、第２の種類の光ディスクにおけるデータ記録層に記録される。以後、可視画像をディスク面に追記していく度にこの工程が繰り返される。
【００１８】
なお、可視画像の領域を円形として捉えることもできる。この場合には、円の中心点Ａの極座標、円の半径Ｂ（ｒ2）、及び、円形状であることを示す情報Ｃの３つの情報により、可視画像の位置を表現する。すなわち、（Ｃ，Ａ(ｒ1，θ1)，Ｂ(ｒ2，θ1)）とすればよい。ここで、“Ｃ”は“Circle”を意味する情報である。なお、Ｂ位置の角度情報θ1は省略しても良い。
【００１９】
３−２．可視画像の領域を扇形として捉える場合
図３の（ｂ）は、可視画像を扇形として捉える場合について説明するための図である。なお、ここでは、中心角度が等しく半径のみが異なる２つの円弧と該２つの円弧のそれぞれの端点を結ぶ半径方向の２本の直線で囲まれる形を扇形とよぶ。
文字などの画像はアプリケーションによりディスク形状に合わせて円周方向に配置されることが多々ある。この場合には、前述のように可視画像領域を長方形として捉えるよりも扇形として捉える方が可視画像の占める領域を無駄なく表現することができる。
図３の（ｂ）に示すように、可視画像「ＶＷＸＹＺ」が含まれる扇形（円弧ＡＣ、直線ＣＢ、円弧ＢＤ及び直線ＤＡで囲まれた領域）８の最内半径をｒ1、最外半径をｒ2とし、また、この扇形の前記基準線５から時計回りでみたときの前方にあたる角度をθ1、後方の角度をθ2とする。このときの扇形の頂点であるＡ，Ｂ，Ｃ，Ｄの極座標は容易に求めることができ、扇形の大きさを求めることもできる。
そして、前述の場合と同様に、画像を扇形として捉えたという情報も併せて記録しておく。例えば、（Ｓ，Ａ，Ｂ）という形式の情報とする。ここで、“Ｓ”は“Sector”を意味する。
【００２０】
なお、画像データの領域中に含まれている絵柄は必ずしも画像データの領域全体にわたって存在するわけではない。この場合、上述した手法では、絵柄は小さいのに可視画像領域は大きく捉えられてしまうこととなる。そこで、画像データ中の絵柄のない部分のデータはヌル（null）として扱い、可視画像領域として記録する対象から外す。そして、画像データ中の絵柄の部分のみを抽出し、その部分を長方形又は扇形などの可視画像として捉えて、その画像の画像領域情報を作成することにより、無駄がなく正確な画像領域情報を作成することができる。
【００２１】
３−３．画像データ内の絵柄を忠実に再現する場合
上述の場合は、可視画像の領域を長方形、円形又は扇形として捉えるものであった。次に、可視画像の領域をできるだけ実際の絵柄の形に近づけた形で捉える場合について説明する。
図３の（ｃ）は、画像データ内の絵柄を多角形として捉える場合を示している。
まず、前述のように、画像データ内において絵柄が存在しない部分のデータをヌルとして画像領域情報の対象から外す。
次に、絵柄の位置、形及び大きさを定めることができる複数の点を決定する。一般に、平面図形は３点存在すれば形を定めることができるが、複雑な図形の場合は座標点を増やす必要がある。
例として、図３の（ｃ）のような星形９の場合は、Ａ〜Ｊの１０点の座標点を採択すればよい。当然、座標点を多くとればとるほど限りなく正確に絵柄の形を再現することができる。したがって、ある絵柄の周囲の座標点を少なくとも３点以上定め、それら全てを可視画像の画像領域情報に含ませる。そして、前記図３の（ａ）及び（ｂ）の場合と同様に、形を表す情報も併せて記録する。すなわち、画像領域情報の表現は、例えば、（Ｆ，Ａ(ｒ1，θ1)，Ｂ(ｒ2，θ2)，Ｃ(ｒ3，θ3)，・・・，Ｊ(ｒ10，θ10)）となる。ここで、“Ｆ”は“Free”を意味する情報である。
【００２２】
図３の（ｄ）は、可視画像の領域を絵柄の形に限りなく近づけるための他の方法を示す図である。
前述の場合と同様に、画像データ内において絵柄のある領域のみを抽出して、その領域をある一定の半径長さ（例えば、５ｍｍ）ごとに区切り、円周方向に分割する。分割後の形を扇形として捉え、絵柄を複数の扇形により表現する。
図３の（ｄ）に示した例では、まず、抽出した絵柄１０をそれぞれ所定値ずつ異なる半径ｒ1、ｒ2、・・・、ｒ5を有する円弧で区切り、隣接する円弧で挟まれた各領域において絵柄１４を含む扇形１１、１２、１３及び１４を決定する。そして、各扇形１１〜１４を表現する前記図３の（ｂ）の場合と同様の画像領域情報を、前記絵柄１０を表す画像領域情報とする。
絵柄を分割する半径長さの差を細かくすればするほど、実際の絵柄の形に近づけることができる。
【００２３】
４．第１の種類の光ディスクにおける識別番号及び画像領域情報の記録方法
次に、前記識別番号及び前記画像領域情報を実際に第１の種類の光ディスク１の所定の領域（内周側インフォメーションエリア２又は外周側インフォメーションエリア３）に記録する方法について説明する。
前述のように、第１の種類の光ディスクにおいては、識別番号及び画像領域情報はディスク内周部の内周側インフォメーションエリア２又はディスク外周部の外周側インフォメーションエリア３の案内溝が形成されている範囲内の領域に記録される。
【００２４】
４−１．直接記録
図４の（ａ）に示すように、前記内周側インフォメーションエリア２又は外周側インフォメーションエリア３に上述した識別番号及び画像領域情報をＣＤ−Ｒ／ＲＷで使用しているＥＦＭ（Eight to Fourteen Modulation）エンコード、又は、ＤＶＤ記録で使用している８ｔｏ１６エンコードを使用して記録する。すなわち、ＥＦＭエンコード又は８ｔｏ１６エンコードにより符号化された識別番号及び画像領域情報の各符号に応じて、各トラックにマークとスペースを交互に形成することにより記録する。これは、通常のＣＤ記録又はＤＶＤ記録の場合と同様にして行うことができる。
この識別番号及び画像領域情報を再生するときは、通常のＣＤ又はＤＶＤの再生と同様のＣＤデコード又はＤＶＤデコードをすればよい。
【００２５】
４−２．トラックを所定長ごとに分割した区分を１ビットとして記録
上述した記録方法の場合は、記録後再生する際に記録品位（ジッタ、エラー）が悪いと適切に読み出せない恐れがある。そこで、一つのマークの大きさを大きくすることにより記録品位の影響を度外視させることができる。
そのために、識別番号及び画像領域情報の１ビットに前記内周側インフォメーションエリア２又は外周側インフォメーションエリア３のトラックを所定長ごとに分割した区分を割り当てて記録する。例えば、１ＡＤＩＰワード、１ＥＣＣ（Error Correcting Code）ブロック、１サブコードフレームなどといった所定の長さに１ビットを割り当てる。
図４の（ｂ）は、マーク長さを１ＡＤＩＰワードとしてこれを前記識別番号及び前記」画像領域情報の１ビットに対応させている例を示している。該ビットが”１”のときは、１ＡＤＩＰワードの長さのランダムパターンを記録し、”０”のときはランダムパターンを記録しないようにすることで前記識別番号及び前記画像領域情報を記録する。
ランダムパターンが記録されていない場所では反射率が高く、ランダムパターンが記録されているところでは反射率が低くなるので、光ディスク１から反射される光のレベルを検出することにより、記録された情報を読み出すことができる。この場合は、記録の状態が多少悪くても識別番号及び画像領域情報を問題なく読み出すことができる。なお、反射率の大小関係は逆でも良い。
【００２６】
４−３．可視画像描画技術を利用して形成したバーコードとして記録
図４の（ｃ）は、識別番号及び画像領域情報に対応するバーコードを形成する場合を示している。前記識別番号及び前記画像領域情報に対応するバーコードを可視画像形成技術を使用して前記内周側インフォメーションエリア２又は外周側インフォメーションエリア３に形成する。このとき、前記特許文献４に記載されたバーコードが好適である。なお、この図においては、バーコードの各バーが直線状に配置されているが、実際には、円周状に（放射状に）配置されることとなる。このバーコードに記録されている情報は、上述の場合と同様に、光ディスク１から反射される光のレベルを検出することにより再生することができる。
バーコードの半径方向の長さを２ｍｍ、円周上のピッチを１ｍｍ程度とすれば、トラッキングをかけなくても読み出しが可能となる。
なお、このバーコードを形成する方法を採用するときには、必ずしも、前記内周側インフォメーションエリア２及び外周側インフォメーションエリア３に案内溝を形成する必要はない。
【００２７】
５．第２の種類の光ディスクにおける識別番号及び画像領域情報の記録方法
前記第２の種類の光ディスクは、トラックアトワンス（Track At Once）方式、又はセッションアトワンス（Session At Once）方式でデータを追記できるマルチセッションディスクであり、第２の種類の光ディスクを用いる場合には、前述した画像領域情報をプログラムエリアのメインデータとして記録することができる。
図５は、マルチセッションディスクに画像領域情報が記録されている様子を説明するための図である。この図に示した例では、リードインLIA1とプログラムエリアPA1とリードアウトLOA1からなるセッション１、リードインLIA2とプログラムエリアPA2とリードアウトLOA2からなるセッション２、及び、リードインLIA3とプログラムエリアPA3とリードアウトLOA3からなるセッション３が記録されている。そして、セッション１のプログラムエリアPA1とセッション３のプログラムエリアPA3にはデータが記録されており、セッション２のプログラムエリアPA2には、描画された画像の画像領域情報が記録されている。
このように、第２の種類の光ディスクには、画像領域情報をプログラムエリアのメインデータとして記録することができる。
【００２８】
図６の（ａ）は、上述のように、プログラムエリアのメインデータとして画像領域情報を記録するときにおける１セクタ（２０４８バイト）を構成するデータバイトの定義の一例を示す図である。
この図に示す例では、第０〜３バイトには画像領域情報であることを示す認識コード、第４〜７バイトにはこのディスクの識別番号であるディスク固有識別コード、第８〜１１バイトには何回目の追記であるかを示す情報、第１２〜１５バイトには画像の形を表す情報、第１６〜１９バイトには第１の極座標情報、第２０〜２３バイトには第２の極座標情報、以下、描画された可視画像の領域を表すのに必要な情報が順に記録される。なお、規格化されているフォーマットに従い、最低限必要なセクタ数となるように、上記データを繰り返し記録する。例えば、１６セクタ必要な場合には、上記１セクタを１６回繰り返して記録する。
図６の（ｂ）は、画像領域情報が記録されている具体例を示す図である。この図に示す例は、前記３−１で説明した可視画像の領域を長方形として捉えた画像領域情報Ｒ（Ａ，Ｂ）及びＲ（Ｃ，Ｄ）である場合を示している。
第１２〜１５バイトには画像の形として長方形を示すＲ（Rectangle）が記録されており、第１６〜１９バイトにはその第１の点の座標情報Ａ（ｒ１，θ１）、第２０〜２３バイトにはその第２の点の座標情報Ｂ（ｒ２，θ２）が記録されている。さらに、第２０〜２３バイトには第２の長方形の第１の点の座標情報Ｃ（ｒ３，θ３）が記録されており、第２４〜２７バイトにはその第２の点の座標情報Ｄ（ｒ４，θ４）が記録されている。この例では、画像の形を示す情報Ｒが同じであるため、第２の長方形を示す情報の記録は省略しているが、省略せずに記録するようにしてもよい。
このように、第２の種類の光ディスクを用いる場合には、そのデータ記録層のプログラムエリアに前述した画像領域情報を記録することができる。
【００２９】
６．光ディスク記録装置の構成
図７は、本発明の光ディスクへの可視画像記録方法を実行することができる光ディスク記録装置の一実施の形態の構成を示すブロック図である。この構成により、前述した第１の種類の光ディスク及び第２の種類の光ディスクのいずれに対してもデータの記録再生及び可視画像の記録を行うことができる。
本実施の形態の光ディスク記録装置は、前記光ディスク１に対してデータの記録再生及び可視画像の形成を行う光ディスクドライブ装置２０、及び、該光ディスクドライブ装置２０に接続されたホストコンピュータやバックエンド装置等のホスト機器４０で構成されている。ホスト機器４０には、追記する可視画像を編集するための画像編集プログラムや光ディスク１にデータや可視画像を記録したり、光ディスク１からデータを再生するための制御プログラムが搭載されている。また、可視画像が描画形成されている光ディスク１のディスク面全体を表すイメージデータなどを保存する記憶部を有している。なお、ホスト機器４０の有する機能を前記光ディスクドライブ装置２０に持たせるようにしてもよい。
図示するように、光ディスクドライブ装置２０は、光ディスク１を回転駆動するスピンドルモータ２１、光ピックアップ２２、ＲＦアンプ２３、サーボ回路２４、デコーダ２５、アドレス検出回路２６、ＨＦ信号検出回路２７、制御部２８、レーザーパワーを制御するＡＬＰＣ（Automatic Laser Power Control）回路２９、バッファメモリ３０、エンコーダ３１、ストラテジ回路３２、及び、光ピックアップ２２のレーザーダイオードを駆動するレーザードライバ３３を備えている。
【００３０】
光ピックアップ２２は光ディスク１にレーザー光を照射してデータの記録及び再生を行うとともに、可視画像の形成を行う。レーザー光を光ディスク１に照射したときの戻り光受光信号（ＥＦＭ変調又は８ｔｏ１６変調されたＲＦ信号）は、ＲＦアンプ２３で増幅され、サーボ回路２４、デコーダ２５、アドレス検出回路２６及びＨＦ信号検出回路２７に供給される。
サーボ回路２４は、前記ＲＦアンプ２３からの信号と制御部２８からの制御信号に基づいて前記スピンドルモータ２１の回転制御及び前記光ピックアップ２２のフォーカス制御やトラッキング制御を行う。
デコーダ２５は、前記ＲＦアンプ２３から供給されるＥＦＭ変調又は８ｔｏ１６変調された信号を復調し、再生データを出力する。光ディスクが前記第１の種類の光ディスクであって、前記識別番号及び前記画像領域情報が前記内周側インフォメーションエリア２又は前記外周側インフォメーションエリア３に前記図４の（ａ）に示した直接記録により記録されているときや、第２の種類の光ディスクのあるセッションに前記識別番号と画像領域情報が記録されているときは、このデコーダ２５により前記識別番号及び前記画像領域情報が再生される。
アドレス検出回路２６は、前記ＲＦアンプ２３から供給される信号からウォブル信号成分を抽出して前記ＡＤＩＰ（又はＡＴＩＰ）を復号し、アドレス情報（位置アドレス）を検出する。
ＨＦ信号検出回路２７は、前記ＲＦアンプ２３から供給されるＲＦ信号のエンベロープを検出して、前記制御部２８に供給する。前記ＡＤＩＰやバーコードを形成されていない領域は反射率が高く、それらが形成された領域は反射率が低い。従って、このＨＦ信号検出回路２７から出力される信号のエンベロープの状態から、前記図４の（ｂ）に示したように前記識別番号及び前記画像領域情報をＡＤＩＰの有無により符号化した場合や、前記図４の（ｃ）に示したように前記識別番号及び前記画像領域情報に対応するバーコードを形成した場合には、このＨＦ信号検出回路２７の出力から前記識別番号及び前記画像領域情報を再生することができる。
【００３１】
バッファメモリ３０は、ホスト機器４０から供給される情報、すなわち、光ディスク１に記録すべきデータ（記録データ）及び光ディスク１に描画する可視画像のデータを記憶する。
エンコーダ３１は、バッファメモリ３０から読み出された記録データ又は可視画像のデータをＥＦＭ変調又は８ｔｏ１６変調し、ストラテジ回路３２に出力する。
ストラテジ回路３２は、エンコーダ３１から供給された信号に時間軸補正処理等を行い、レーザードライバ３３に出力する。
レーザードライバ３３は、ストラテジ回路３２から供給される変調された信号と、ＡＬＰＣ回路２９の制御に基づいて、光ピックアップ２２のレーザーダイオードを駆動する。
【００３２】
前述のように、前記光ディスク１には、前記基準角度位置を示すマークが設けられており、前記制御部２８は、前記アドレス検出回路２６や前記デコーダ２５などからの出力に基づいて前記基準角度位置を示すマークを検出するようになされている。
光ディスク１に可視画像を形成するとき、前記制御部２８は、前記基準角度位置を示すマークを検出したタイミングで、前記エンコーダ３１にその周回に描画する画像データのエンコードを開始させ、その画像データに対応する可視画像の記録を開始させる。
これにより、光ディスク１の所定の位置から可視画像を形成することができる。
【００３３】
７．第１の種類の光ディスクを使用する場合の光ディスク記録装置の動作
前述のように、本発明の光ディスク記録装置においては、前記第１の種類の光ディスク１に最初に可視画像を記録するときに、その光ディスク１に初めて可視画像を記録するときに、その光ディスク１の前記内周側インフォメーションエリア２又は前記外周側インフォメーションエリア３にその光ディスク１に固有の識別番号を記録するようにしており、また、光ディスク１に可視画像を記録したときに、前記内周側インフォメーションエリア２又は前記外周側インフォメーションエリア３に該可視画像の占める領域の位置、形及び大きさを表し得る画像領域情報を記録するとともに、その可視画像が形成された光ディスク１のイメージデータと、そのイメージデータとその光ディスク１の識別番号とを関連付けるリンク情報とを前記ホスト機器４０に保存するようにしている。
ここで、本発明において用いられる各種のデータを次のように定義する。
Ａn：画像領域情報（情報Ａとする。光ディスク１に存在）
Ｂx0：各光ディスクに固有に与えられる識別番号（情報Ｂとする。光ディスク１に存在）
Ｃxn：可視画像が記録されている光ディスクのイメージデータ（情報Ｃとする。ホスト機器４０に存在）
Ｄxn：情報Ｂと情報Ｃを関連付けるリンク情報（情報Ｄとする。ホスト機器４０に存在）
Ｇ：イメージデータＣxn中の画像データ
Ａ’：ホスト機器４０に保存されているイメージデータＣxnから得られた画像領域情報
Ｃ’：ユーザーが追記する画像データ
An-exist：光ディスク１における情報Ａ（画像領域情報）の有無を表すフラグ（「０」：無し、「１」：有り）
B0-exist：光ディスク１における情報Ｂ（識別番号）の有無を表すフラグ（「０」：無し、「１」：有り）
ここで、ｎは追記回数を示しており、ｎ＝０は初回記録を終了した状態、ｎ＝１は１回目の追記を終了した状態、ｎ＝ｋはｋ回目の追記を終了した状態を示している。
【００３４】
図８は、各ホスト機器及び各光ディスクに保存又は記録される情報Ｂ（識別番号）、情報Ｃ（可視画像が記録された光ディスクのイメージデータ）及び情報Ｄ（リンク情報）の例を示す図である。
図８における（１）は、第１のホスト機器αを用いて第１の光ディスク（ｘ＝１とする。）に可視画像を初めて記録した後における識別番号、可視画像が記録された光ディスクのイメージデータ及びリンク情報を示している。この図に示す例では、第１のディスクの識別番号Ｂ10は「AABBCCDD」、その光ディスクのイメージデータＣ10は「picture0.bmp」という名称のファイル、これらを関連付けるリンク情報はＤ10（Ｂ10，Ｃ10）とされている。
図８の（２）は該ホスト機器αを用いて第１の光ディスクに１回目の追記を行った後の各データを示している。光ディスクの識別番号は初回記録時にのみ光ディスクに記録されるため、Ｂ10は不変である。また、一回目の追記を行った後のイメージデータＣ11は「picture1.bmp」というファイル名で保存されており、これらを関連付けるリンク情報はＤ11（Ｂ10，Ｃ11）とされている。
図８の（３）は同じホスト機器αを用いて第１の光ディスクに２回目の追記を行った後の各データを示している。２回目の追記を行った後のイメージデータは「picture2.bmp」、リンク情報はＤ12（Ｂ10，Ｃ12）とされている。
図８の（４）は同じホスト機器αを用いて第２の光ディスク（ｘ＝２とする。）に可視画像を初めて記録したときの各データの例を示している。この図に示した例では、第２の光ディスクの識別番号Ｂ20は「ACEGIKMO」とされている。また、前記第１の光ディスクへの１回目の追記時と同一の可視画像を記録したものとされており、イメージデータは前記Ｃ11と同じ「picture1.bmp」、リンク情報はＤ20（Ｂ20，Ｃ11）とされている。このように、複数のディスクでイメージデータを共用することができる。
図８の（５）は、第２のホスト機器βを用いて、前記第１の光ディスク（Ｂ10＝「AABBCCDD」）に可視画像の追記を行なった場合の各データの例を示している。このホスト機器βによる１回目の追記を行った後のイメージデータＣ11は「movie1.bmp」、リンク情報はＤ11（Ｂ10，Ｃ11）とされている。このホスト機器においては、初めての追記であるため、情報Ｃ及び情報Ｄにおけるｎは１とされている。
図８の（６）は、第２のホスト機器βを用いて、前記第１の光ディスクに対して、このホスト機器βにおける２回目の追記を行なった場合の各データの例を示している。この回の追記を行った後のイメージデータＣ12は「movie2.bmp」、リンク情報はＤ12（Ｂ10，Ｃ12）とされている。
図８の（７）は、前記第１のホスト機器を用いて前記第１の光ディスクに対して、このホスト機器αにおける３回目の追記を行なった場合の各データの例を示している。ホストαによる２回目の追記（上記（３））とこの回の追記との間に、第２のホスト機器βによる前記（５）及び（６）の追記が行われている。この回の追記を行った後のイメージデータＣ13は「picture3.bmp」、リンク情報はＤ13（Ｂ10，Ｃ13）とされている。
図８の（８）は第３のホストγを用いて第３の光ディスク（ｘ＝３とする。）に可視画像を初めて記録したときの各データの例を示しており、その光ディスクの識別番号Ｂ30は「01234567」とされている。そして、そのイメージデータＣ30は「data0.bmp」、リンク情報はＤ30（Ｂ30，Ｃ30）とされている。
【００３５】
図９は、上記イメージデータ（情報Ｃ）、画像データＧ、及び、画像領域情報Ａの例を示す図である。
この図において、（ａ）は光ディスクに最初に可視画像が記録されたときのイメージデータＣx0の例である。これは、前記図８における（１）に対応する。この図に示すように、画像Ｇ1が記録されている。
（ｂ）は光ディスクに１回目の追記を行ったときのイメージデータＣx1の例を示している。これは、前記図８における（２）に対応する。前記画像Ｇ1に加え、新規な画像Ｇ2が追加されている。後述するように、ユーザーは、前記（ａ）のイメージデータＣx0が表示されている編集画面を用いて、所望の画像Ｇ2を所望の位置に配置することができる。
（ｃ）は光ディスクに２回目の追記を行ったときのイメージデータＣx2の例を示している。この回の追記により画像Ｇ3が追記されている。ユーザーは、前記（ｂ）のイメージデータＣx1が表示されている編集画面を使用して可視画像Ｇ3の編集作業を行う。
（ｄ）は、前記光ディスク上に記録されている画像領域情報Ａ0、Ａ1から再現した可視画像の形を示す図である。前記（ａ）の画像Ｇ1を記録したときにその位置、形及び大きさを表し得る画像領域情報Ａ0が前記光ディスクに記録され、（ｂ）の前記画像Ｇ2を追記したときにその位置、形及び大きさを表し得る画像領域情報Ａ1が光ディスク１に記録される。後述するように、追記を行おうとしたときに、ホスト機器内にそのディスクのイメージデータＣx1が記録されていないときは、この図に示すように、該ディスク上に記録されている画像領域情報を用いて再現した可視画像の形を表示した画面を用いて、追記する可視画像の編集を行うこととなる。
【００３６】
図１０、図１１及び図１２は、第１の種類の光ディスクを使用する場合の本発明の光ディスク記録装置における処理の流れを示すフローチャートである。なお、これらの図では、煩雑さを避けるため、情報Ｂx0、Ｃxn、Ｄxnにおける添字ｘの記載を省略している。
光ディスク１が前記光ディスクドライブ装置２０に挿入されると、光ディスクドライブ装置２０はそのディスクが可視画像を記録することができる第１の種類の光ディスクであるか否かを判定し、可視画像描画対応メディアでない場合は、エラー終了する。可視画像を記録することができる第１の種類の光ディスクであるときは、図１０〜図１２に示す処理が実行される。
まず、その光ディスク１の前記内周側インフォメーションエリア２又は前記外周側インフォメーションエリア３を読み出し、前記画像領域情報（情報Ａn）が記録されているか否かを判定する（ステップＳ１）。
情報Ａnが記録されていないときは、フラグAn-existを「０」とし（ステップＳ２）、情報Ａnが記録されているときは、フラグAn-existを「１」として（ステップＳ３）、該情報Ａnを再生する（ステップＳ４）。このとき、光ディスクドライブ装置２０は、画像領域情報を読み出す時に、記録されている全ての画像領域情報Ａ0〜Ａnを総合して画像領域情報Ａnと認識して再生するようになされている。
次に、その光ディスク１の前記内周側インフォメーションエリア２又は前記外周側インフォメーションエリア３を読み出し、前記識別情報（情報Ｂ）が記録されているか否かを判定する（ステップＳ５）。
情報Ｂx0が記録されていないときは、前記フラグB0-existを「０」し（ステップＳ６）、情報Ｂx0が記録されているときは、フラグB0-existを「１」とした後（ステップＳ７）、該情報Ｂx0を再生する（ステップＳ８）。
そして、前記フラグAn-exist、フラグB0-exist、再生された情報Ａn及び再生された情報Ｂx0を前記ホスト機器４０に送信する（ステップＳ９）。
【００３７】
前記ホスト機器４０は、前記光ディスクドライブ装置２０からのフラグAn-exist、フラグB0-exist、情報Ａn及び情報Ｂx0等の情報を受信すると（ステップＳ１１）、受信したフラグAn-exist及びフラグB0-existが「０」であるか「１」であるかを判定する（ステップＳ１２、Ｓ１３、Ｓ２４）。
フラグAn-existとフラグB0-existがともに「０」のとき（ステップＳ１２及びＳ２４がともに「０」のとき）は、未記録メディアが挿入され、初めて可視画像を記録する場合（ケース１）となり、ステップＳ２５へ進む。
フラグAn-exist及びフラグB0-existのいずれか一方が「０」で他方が「１」のとき（ステップＳ１２が「０」でステップＳ１４が「１」、又は、ステップＳ１２が「１」でステップＳ１３が「０」のとき）、すなわち、情報Ａnは存在するが、情報Ｂx0は存在しなかったり、その逆だったりした場合（ケース５）は、異常なことが起きた可能性が有ると判断し、エラー終了させる。なお、この他にも、予期せぬ状況に陥ればエラー終了させる。
フラグAn-exist及びB0-existがともに「１」であるとき（ステップＳ１２及びＳ１３がともに「１」のとき）は、同時に受信した情報Ｂx0（識別番号）に対応する情報Ｄxnが自ホスト機器４０に保存されているか否かを判定する（ステップＳ１４）。
情報Ｄxnが保存されていないときには、初めてホストを変えて画像を追記しようとしている場合（ケース３）となり、ステップＳ１５に進む。
情報Ｄxnが保存されているときは、前記識別番号Ｂx0とリンク情報Ｄxnに基づいて可視画像が記録されているその光ディスクのイメージデータＣxnを読み出す（ステップＳ１６）。そして、該読み出したイメージデータＣxn中に存在する絵柄部分の画像領域情報Ａ’を計算し（ステップＳ１７）、算出した画像領域情報Ａ’と前記光ディスク１から読み出された画像領域情報Ａnとを比較する（ステップＳ１８）。
その結果、Ａ’とＡnが等しいときは、同じホスト機器を使用して画像を追記する場合（ケース２）であり、ステップＳ２１に進む。
Ａ’とＡnが等しくないときは、過去に追記に使用したホスト機器を使用して再度追記する場合（ケース４）であり、ステップＳ１９に進む。
以下、ケース１〜ケース４について説明する。
【００３８】
７−１．ケース１（光ディスクに初めて可視画像を記録する場合）
未記録メディアが挿入され、初めて可視画像を記録する場合には、ディスクに情報Ｂx0は存在せず、ホスト機器４０にも対応する情報Ｃx0及びＤx0が存在しない。したがって、追記する可視画像を編集するための画像編集プログラムの編集画面には既存の可視画像は表示されず（ステップＳ２５）、ユーザは新規に画像Ｇを張り付けて位置や大きさなどを編集したり、あるいは、既存の情報Ｃを利用して、光ディスク１のイメージデータを編集する（ステップＳ２６）。
このようにして編集されたイメージデータをその光ディスクに対応する情報Ｃx0として、ホスト機器４０のメモリに記憶する（ステップＳ２７）。
そして、該保存したイメージデータＣx0を光ディスク１に追記する可視画像のデータＣ’とする（ステップＳ３６）。
次に、該可視画像のデータＣ’からその絵柄の位置、形及び大きさを表すことができる画像領域情報Ａ0を算出する（ステップＳ３７）。
次に、その光ディスク１に付与する識別番号Ｂx0を作成する（ステップＳ３８）。例えば、そのときの現在時刻などを種として発生させた乱数に基づいて識別番号を作成する。
そして、前記ステップＳ２７で作成した情報Ｃx0をホスト機器４０のハードディスク装置などの記憶部に保存する（ステップＳ３９）。
次に、前記情報Ｂx0と情報Ｃx0とを関連付けるリンク情報Ｄx0を作成し、同様に、ホスト機器４０に保存する（ステップＳ４０）。
そして、前記情報Ｂx0を前記光ディスクドライブ装置２０へ送信する（ステップＳ４１）。
前記光ディスクドライブ装置２０はホスト機器４０から受信した情報Ｂx0を前記光ディスク１の前記内周側インフォメーションエリア２又は前記外周側インフォメーションエリア３に前記図４の（ａ）〜（ｃ）に示したいずれかの方法で記録する（ステップＳ４２）。
次に、前記ホスト機器４０は、前記ステップＳ３７で計算した画像領域情報Ａ0を前記光ディスクドライブ装置２０に送信し（ステップＳ４３）、前記光ディスクドライブ装置２０は、該送信された画像領域情報Ａ0を光ディスク１の前記内周側インフォメーションエリア２又は前記外周側インフォメーションエリア３に同様に記録する（ステップＳ４４）。
そして、前記ホスト機器４０は前記光ディスク１に追記する可視画像の画像データＣ’を前記光ディスクドライブ装置２０に送信し（ステップＳ３４）、前記光ディスクドライブ装置２０は、対応する可視画像を前記光ディスク１に記録する（ステップＳ３５）。
【００３９】
７−２．ケース２（同じホスト機器を使用して可視画像を追記する場合）
この場合は、光ディスク１上の情報Ａnと情報Ｂx0を再生することができ、ホスト機器４０内にリンク情報Ｄxnが存在している。そして、該リンク情報Ｄxnにより読み出されたイメージデータＣxnから計算された画像領域情報Ａ’と光ディスク１から読み出された画像領域情報Ａnとが一致していることから、他のホスト機器による可視画像の追記が行われていない。
したがって、光ディスクの識別番号Ｂx0に対応する情報Ｃxnを前記記憶部から読み出し、光ディスク１に記録する可視画像を編集するための画像編集プログラムの編集画面に該情報Ｃxn（可視画像が既に記録されている光ディスク１のイメージデータ）を表示する（ステップＳ２１）。これにより、光ディスク１に記録されている既存画像を再現することができる。
ユーザーは、該画面を使用して、イメージデータＣxnの上に新たに追加したい画像Ｇを張り付けたり、ホスト機器４０内に保存されている他の情報Ｃと合成したりして追記する可視画像を編集する（ステップＳ２２）。
そして、編集されたイメージデータＣxn+1をホスト機器４０のメモリに一時的に記録する（ステップＳ２３）。
【００４０】
次に、該作成された情報Ｃxn+1と前記保存されていた情報Ｃxnとの差分Ｃ’＝Ｃxn+1−Ｃxnを光ディスク１に追記する可視画像の画像データとして抽出する（ステップＳ２８）。すなわち、新たな可視画像が追加されているイメージデータＣxn+1の各ピクセルと既存のイメージデータＣxnの各ピクセルとの差分をとることで、ユーザが追加したい可視画像の画像データＣ’を抽出する。
そして、該抽出された画像データＣ’から追記する可視画像の画像領域情報Ａn+1を前記図３に示したように算出する（ステップＳ２９）。
そして、前記ステップＳ２３で作成されたイメージデータＣxn+1をホスト機器４０に保存する（ステップＳ３０）。このとき、イメージデータＣxnは、他の光ディスクに使用されている可能性が有るので、そのまま保存しておく。
次に、前記識別番号Ｂx0と前記イメージデータＣxn+1とを関連付けるリンク情報Ｄxn+1（Ｂx0，Ｃxn+1）を作成し、リンク情報Ｄxnに上書きする（ステップＳ３１）。これにより、一世代前のリンク情報Ｄxnは消失され、最新のリンク情報Ｄxn+1のみが保存される。
次に、前記ステップＳ２９で算出した画像領域情報Ａn+1を前記光ディスクドライブ装置２０に送信する（ステップＳ３２）。
前記光ディスクドライブ装置２０は受信した画像領域情報Ａn+1を光ディスク１の前記内周側インフォメーションエリア２又は前記外周側インフォメーションエリア３に前記図４の（ａ）〜（ｃ）に示した方法を使用して記録する（ステップＳ３３）。これにより、光ディスク１の所定の領域に今回の追記により追加された画像の画像領域情報Ａn+1が追記される。
次に、前記ホスト機器４０は前記ステップＳ２８で抽出された追記する画像データＣ’を前記光ディスクドライブ装置２０に送信し（ステップＳ３４）、光ディスクドライブ装置２０は該画像データに基づいて可視画像を前記光ディスク１に追記する（ステップＳ３５）。
【００４１】
７−３．ケース３（初めてホスト機器を変えて可視画像を追記する場合）
この場合は、光ディスク１上の情報Ａnと情報Ｂx0を再生することができたが、ホスト機器４０に情報Ｂx0に対応する情報Ｄxnが存在しない（ステップＳ１４がＮＯ）。したがって、対応する情報Ｃxnのイメージデータをロードすることができず、正確な既存画像を画面上に再現することができないので、まず、その旨のメッセージをホスト機器４０の表示画面に表示する（ステップＳ１５）。
そして、光ディスク１から読み出された画像領域情報Ａnから既存画像の位置と形と大きさとを把握し、これを新規なイメージデータＣxnとして作成し、メモリに記憶する（ステップＳ２０）。
そして、ステップＳ２１に進み、該作成したイメージデータＣxnを可視画像を編集するための画像編集プログラムの編集画面に表示する。
ユーザーは、このイメージデータＣxnの上に新たに追加したい画像Ｇを張り付けたり、ホスト機器４０内に保存されている他の情報Ｃと合成したりして、追加する可視画像を既存の可視画像と重ならないように挿入して編集することができる。
以下の処理は、前記ケース２の場合と同様である。
【００４２】
７−４．ケース４（過去に追記に使用したホスト機器を使用して再度追記する場合）
これは、光ディスク１上の情報Ａnと情報Ｂx0を再生することができ、ホスト機器４０内にリンク情報Ｄxnが存在しているが、該リンク情報Ｄxnに基づいて読み出されたイメージデータＣxnから計算された画像領域情報Ａ’と光ディスク１から読み出された画像領域情報Ａnとが一致していないことから、前回このホスト機器（α）により可視画像が記録された後に、他のホスト機器（β）により可視画像の追記がなされたことがわかるケースである。
この場合には、このホスト機器４０に保存されているイメージデータＣxnは他のホスト機器により追記された可視画像の情報を含んでおらず、正確な既存画像を画面上に再現することができるものではないので、その旨のメッセージを画面上に表示する（ステップＳ１９）。
そして、光ディスク１から読み出された画像領域情報Ａnから既存画像の位置と形と大きさとを把握し、これを前記イメージデータＣxnに反映させて、新たなイメージデータＣxnとしてメモリーに記憶する（ステップＳ２０）。
そして、前記ケース２及びケース３の場合と同様に、該イメージデータＣxnを画像編集プログラムの編集画面に表示し（ステップＳ２１）、ユーザは、該画面を使用して追加する可視画像の編集を行う（ステップＳ２２）。
以下の処理は、ケース２及びケース３の場合と同様である。
【００４３】
８．変形例
なお、上記において、情報Ａ、情報Ｂ、情報Ｃの書き込み順序は変更されても良い。
また、上述した例に限られることはなく、以下のように変更してもよい。
８−１．変形例１
上述した実施の形態においては、光ディスクに固有の識別番号Ｂx0は初めて可視画像を記録したときにのみ光ディスクに記録するようにしていたが、追記を行う度に識別番号を生成して光ディスク１に記録するようにしてもよい。この場合には、可視画像を記録したときにホスト機器にその光ディスクの識別番号を保存しておくようにし、追記時に光ディスク１から記録されている識別番号を読み取り、ホスト機器内に保存している識別番号と一致していれば同じホスト機器による追記であると判断でき、一致していなければ、他のホストで追記されたと判断することができる。
これにより、ディスク上の情報Ａによる画像とホスト機器に保存されているイメージデータＣによる画像との比較工程（前記ステップＳ１７、Ｓ１８）が不要となる。
【００４４】
８−２．変形例２
上記においては、（An-exist，B0-exist）＝（１，０）又は（０，１）のときはエラー終了としていたが（ケース５）、エラー終了とせずに救済措置を施してもよい。その場合は、まず、なんらかの忠告表示を最初に出す必要がある。例えば、「このディスクは一部の情報が読み出せなかったので正確に追記できない可能性があります。」と表示すればよい。
（An-exist，B0-exist）＝（１，０）の場合は、上述したケース３の場合と同様な工程を進めばよい。そして、画像を追記した後に情報Ｂを生成してディスクに記録することにより修復すればよい。
（An-exist，B0-exist）＝（０，１）の場合は、まず、情報Ｂがホスト機器に保存されているリンク情報Ｄ中に存在するか否かを調べ、存在する場合は、情報Ｃにより既存画像を再現させ、これ以降は前記ケース２と同様な方法で追記録し、最後に情報Ａをディスクに記録すればよい。存在しない場合は、既存画像の情報を何も読み取ることができないからホスト上で画像を再現することはできない。よって、ホスト上においてはブランク表示する。以降は、上述したケース１（未記録ディスク）と同様な工程で進めばよい。ただし、情報Ｂのディスクへの記録は省略する。
【００４５】
８−３．変形例３
上記ケース４において、既存画像を表示する際に情報Ａnだけで表示するのではなく、まず、ホスト機器に保存されている情報Ｃxnにより画像を表示させ、不足分のみ情報Ａnから補って、既存画像を表示するようにしてもよい。
【００４６】
９．第２の種類の光ディスクを使用する場合の光ディスク記録装置の動作
図１３は、前記第２の種類の光ディスクを使用する場合の光ディスク記録装置における処理の流れを示すフローチャートである。
光ディスクドライブ装置２０に光ディスクがセットされると、光ディスクドライブ装置２０ではセットされた光ディスクが第２の種類の光ディスクのマルチセッションディスクであるかどうかをチェックする（ステップＳ５１）。セットされたディスクが第２の種類の光ディスクであり、ホスト機器４０から画像記録を指示するコマンドが発せられると、ドライブ装置２０はセットされた光ディスクのデータ記録層が未記録状態であるか否かを判定する（ステップＳ５２）。
データ記録層が未記録状態のときは、その旨をホスト機器４０に通知し、ホスト機器４０はユーザーに対し、データ記録層にデータを記録した後で画像描画をすることを促す警告を表示して処理を終了する（ステップＳ５３）。これは、再生専用機には、最初のセッションには常に音楽や画像等のデータが記録されているものとして動作するものがあり、最初のセッションに画像領域情報が記録されている場合に不都合が生じるのを防止するためである。
【００４７】
一方、データ記録層が未記録状態でないときは、ドライブ装置２０は記録されている各セッションのプログラムエリアを再生し（ステップＳ５４）、前記画像領域情報の認識コードが検出されるかどうかによって、画像領域情報が記録されているセッションがあるか否かを判定する（ステップＳ５５）。
画像領域情報が記録されているセッションが存在しないときは、そのディスクに画像が描画されていないので、前述したケース１（光ディスクに初めて可視画像を記録する場合）に該当する。そこで、前記図１１のステップＳ２５〜Ｓ２７の処理を実行する（ステップＳ５６）。すなわち、画像編集プログラムの編集画面にブランク状態の光ディスク面を表示し、ユーザによる画像の追加などの編集処理が行われた結果のイメージデータＣx0を得て、ホスト機器４０のメモリに記憶する。
続いて、前記図１２のステップＳ３６〜Ｓ４０の処理を実行する（ステップＳ５７）。すなわち、該イメージデータＣx0を光ディスクに追記する可視画像のデータＣ’として、該可視画像のデータＣ’からその絵柄の位置、形及び大きさを表すことができる画像領域情報Ａ0を算出する。また、その光ディスクに固有の識別番号（ディスク固有識別コード）Ｂx0（情報Ｂ）を作成し、該識別番号Ｂx0と前記イメージデータＣx0とを関連付けるリンク情報Ｄx0を作成する。そして、前記イメージデータＣx0とリンク情報Ｄx0をホスト機器４０に保存する。
そして、前記画像領域情報Ａ0と前記識別番号Ｂx0とを光ディスクドライブ装置２０に送信し（ステップＳ５８）、光ディスクドライブ装置２０は受信した画像領域情報Ａ0と識別番号Ｂx0（ディスク固有識別コード）をセットされている第２の種類の光ディスクにマルチセッションで記録する（ステップＳ５９）。
そして、ホスト機器４０は前記追記する可視画像のデータＣ’を光ディスクドライブ装置２０に送信し（ステップＳ６８）、光ディスクドライブ装置２０は該可視画像のデータＣ’を第２の種類の光ディスクの画像描画層に記録する（ステップＳ６９）。
【００４８】
一方、光ディスクのプログラムエリアに画像領域情報が記録されているセッションが存在しているときは（ステップＳ５５がＹＥＳ）、ホスト機器４０は光ディスクドライブ装置２０に対し、画像領域情報が記録されているセッションのうちの最終セッションに記録されている画像領域情報（情報Ａ）とディスク固有識別コード（情報Ｂ）の取得を要求する（ステップＳ６０）。これにより、画像領域情報が記録されているセッションが複数ある場合に、その光ディスクに記録されている最も新しい画像領域情報を取得することができる。
この要求に応じて、光ディスクドライブ装置２０は最新の画像領域情報（情報Ａ）とディスクの識別番号（情報Ｂ）をそのディスクのプログラムエリアから読み出し（ステップＳ６１）、ホスト機器４０に送信する（ステップＳ６２）。
ホスト機器４０では、光ディスクドライブ装置２０から送られてきたディスクの識別番号Ｂx0（情報Ｂ）が、その機器内に保存されているリンク情報（情報Ｄ）の中に存在するか否か、すなわち、その識別番号Ｂx0に対応するリンク情報Ｄx0がホスト機器４０内に保存されているか否かを判定する（ステップＳ６３）。
そして、その結果に応じて、前記図１１の場合と同様に、ケース２（同じホスト機器を使用して可視画像を追記する場合）、ケース３（初めてホスト機器を変えて可視画像を追記する場合）及びケース４（過去に追記に使用したホスト機器を使用して再度追記する場合）の各処理を実行する（ステップＳ６４）。
【００４９】
すなわち、識別番号Ｂx0がそのホスト機器４０内に保存されているリンク情報Ｄの中に存在しないとき（ステップＳ６３がＮＯ）は、初めてホストを変えて画像を追記しようとしている場合（ケース３）であるため、正確な既存画像を再現することができない旨の警告表示を行った後、記録されていた画像領域情報Ａnから既存画像の位置と形を大きさを把握して、これを新規なイメージデータＣxnとして作成し、メモリに記録するとともに、画像編集プログラムの編集画面に該イメージデータＣxnを表示する。
また、識別番号Ｂx0がホスト機器４０内に保存されているリンク情報Ｄの中に存在しているとき（ステップＳ６３がＹＥＳ）は、該識別番号Ｂx0とリンク情報Ｄxnに基づいてその光ディスクのイメージデータＣxnを読み出す。そして、読み出したイメージデータＣxn中の絵柄部分の画像領域情報Ａ’を計算し、算出した画像領域情報Ａ’と光ディスクから読み出された画像領域情報Ａnとを比較する。
算出した画像領域情報Ａ’と読み出された画像領域情報Ａnとが一致していないときは、他のホスト機器で描画されたことがある場合（ケース４）に該当するため、正確な既存画像を再現できない旨の警告を表示する。そして、前記ケース３の場合と同様に、読み出された画像領域情報Ａnから既存画像の位置と形を大きさを把握して、これを新規なイメージデータＣxnとして作成し、メモリに記録するとともに、画像編集プログラムの編集画面に該イメージデータＣxnを表示する。
一方、算出した画像領域情報Ａ’と読み出された画像領域情報Ａnが一致しているときは、同じホスト機器を使用して可視画像を追記する場合（ケース２）に該当し、画像編集プログラムの編集画面に前記リンク情報Ｄxnに基づいて読み出したイメージデータＣxnを表示する。
このように、ケース２、ケース３及びケース４の各場合にそれぞれ応じたイメージデータＣxnが編集画面上に表示され、ユーザは、該編集画面上で追加したい画像Ｇを貼り付けたり、ホスト機器４０に保存されている他の情報Ｃと合成したりして追記する可視画像を編集する。そして、編集の結果作成されたイメージデータＣxn+1をホスト機器４０のメモリに一時的に記憶する。
【００５０】
次に、図１２のステップＳ２８〜Ｓ３１とほぼ同様の処理を実行する（ステップＳ６５）。すなわち、作成されたイメージデータＣxn+1と前記イメージデータＣxnとの差分Ｃ’＝Ｃxn+1−Ｃxnを光ディスクに追記する可視画像の画像データとして抽出する。また、前記作成されたイメージデータＣxn+1からその中に含まれている可視画像の占める領域の位置、形及び大きさを表し得る画像領域情報Ａxn+1を算出する。なお、前記ステップＳ２９では、差分の情報Ｃ’から画像領域情報Ａxn+1を算出していたのに対し、ここでは、作成されたイメージデータＣxn+1から画像領域情報Ａxn+1を作成している点が相違している。そして、ホスト機器４０は、前記作成されたイメージデータＣxn+1を保存し、光ディスクの識別番号Ｂx0とイメージデータＣxn+1とを関連付けるリンク情報Ｄxn+1を作成してリンク情報Ｄxnに上書き保存する。
そして、ホスト機器４０は、その光ディスクの識別番号Ｂx0と算出した画像領域情報Ａxn+1を光ディスクドライブ装置２０に送信する（ステップＳ６６）。これを受け取った光ディスクドライブ装置２０は、該識別番号Ｂx0と画像領域情報Ａxn+1をセットされている光ディスクにマルチセッションで記録する（ステップＳ６７）。
次に、ホスト機器４０は、前記可視画像のデータＣ’を光ディスクドライブ装置２０に送信し（ステップＳ６８）、光ディスクドライブ装置２０は、受け取ったデータＣ’を第２の種類の光ディスクの画像描画層に記録する（ステップＳ６９）。
このようにして、可視画像を第２の種類の光ディスクの正確な位置に容易に記録することができる。
【００５１】
なお、上記においては、第２の種類の光ディスクを使用する場合において、可視画像が追記されるごとに、可視画像が追記された後のディスク面に記録されている可視画像に対応する画像領域情報を記録するようにしていたが、これに限られることはなく、第１の種類の光ディスクを使用する場合と同様に、追記された可視画像に対応する画像領域情報を新たなセッションに記録するようにし、画像領域情報が記録されている全てのセッションのデータを読み出して合成し、ディスプレイ上に表示するようにしてもよい。
【図面の簡単な説明】
【００５２】
【図１】本発明において使用する第１の種類の光ディスクの一実施の形態の構造を示す図である。
【図２】本発明において使用する第２の種類の光ディスクの層構造を示す図であり、（ａ）はＣＤＲタイプのデュアルレイヤー光ディスクの層構造を示す図、（ｂ）はＤＶＤＲタイプのデュアルレイヤー光ディスクの層構造を示す図、（ｃ）はＣＤＲ−ＤＶＤＲ混合タイプのデュアルレイヤー光ディスクの層構造を示す図である。
【図３】画像領域情報を説明するための図であり、（ａ）は可視画像を長方形として捉える場合、（ｂ）可視画像を扇形として捉える場合、（ｃ）は多角形として表現する場合、（ｄ）は複数の扇形により表現する場合を示す図である。
【図４】識別番号及び画像領域情報を第１の種類の光ディスクに記録する方法について説明するための図であり、（ａ）は識別番号を記録領域に直接記録する場合、（ｂ）は記録領域のトラックを所定長ごとに分割して区分を１ビットとして記録する場合、（ｃ）は識別番号に対応するバーコードを可視画像記録の手法によって記録領域に形成する場合を示している。
【図５】第２の種類の光ディスクにおけるプログラムエリアへの記録の様子を説明するための図である。
【図６】第２の種類の光ディスクへの画像領域情報の記録方法を説明するための図であり、（ａ）はデータバイトの定義を示す図であり、（ｂ）は画像領域情報の記録の具体例を示す図である。
【図７】本発明の光ディスク記録装置の一実施の形態の構成を示すブロック図である。
【図８】各光ディスクに固有に与えられる識別番号及びホスト機器に保存されるイメージデータについて説明するための図である。
【図９】イメージデータ（情報Ｃ）、画像データＧ、及び、画像領域情報Ａの例を示す図である。
【図１０】第１の種類の光ディスクを使用する場合の本発明の光ディスク記録装置における処理の流れを示すフローチャート（その１）である。
【図１１】第１の種類の光ディスクを使用する場合の本発明の光ディスク記録装置における処理の流れを示すフローチャート（その２）である。
【図１２】第１の種類の光ディスクを使用する場合の本発明の光ディスク記録装置における処理の流れを示すフローチャート（その３）である。
【図１３】第２の種類の光ディスクを使用する場合の本発明の光ディスク記録装置における処理の流れを示すフローチャートである。
【符号の説明】
【００５３】
１：光ディスク、２：内周側インフォメーションエリア、３：外周側インフォメーションエリア、４：可視画像記録領域、２０：光ディスクドライブ装置、２１：スピンドルモータ、２２：光ピックアップ、２３：ＲＦアンプ、２４：サーボ回路、２５：デコーダ、２６：アドレス検出回路、２７：ＨＦ信号検出回路、２８：制御部、２９：ＡＬＰＣ回路、３０：バッファメモリ、３１：エンコーダ、３２：ストラテジ回路、３３：レーザードライバ、４０：ホスト機器
【図１】
0004470916.tif 000002
【図２】
0004470916.tif 000003
【図３】
0004470916.tif 000004
【図４】
0004470916.tif 000005
【図５】
0004470916.tif 000006
【図６】
0004470916.tif 000007
【図７】
0004470916.tif 000008
【図８】
0004470916.tif 000009
【図９】
0004470916.tif 000010
【図１０】
0004470916.tif 000011
【図１１】
0004470916.tif 000012
【図１２】
0004470916.tif 000013
【図１３】
0004470916.tif 000014